【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
会議フォーカスに用いられる無線通信システムのブロードキャスト／マルチキャストサービスを利用してマルチパーティ会議サービス（ＭＰＣＳ）を行う方法であって、
少なくとも一つのコンテンツ提供サーバから少なくとも一つの移動端末にコンテンツメディアフローを提供し、
（ａ）前記少なくとも一つのコンテンツ提供サーバからのメディアフロー関連情報を受信し、受信された当該メディアフロー関連情報をブロードキャスト／マルチキャストサービスコントローラに送信し、
（ｂ）ブロードキャスト／マルチキャストサービスコントローラの前記メディフロー関連情報に基づいて生成されたブロードキャスト／マルチキャストサービスセッションを確立するためのブロードキャスト／マルチキャストサービスセッション関連情報を受信し、  （ｃ）受信された前記メディアフロー関連情報、前記ブロードキャスト／マルチキャストサービスセッション関連情報及びＭＰＣＳ関連情報に基づいて、対応するブロードキャスト／マルチキャストサービスセッションのコンテクストを生成し、及び、
（ｄ）前記少なくとも一つの移動端末がブロードキャスト／マルチキャストサービスセッションを通して前記コンテンツメディアフローを取得するように、生成されたブロードキャスト／マルチキャストサービスセッションのコンテクストを前記少なくとも一つのコンテンツ提供サーバ、前記少なくとも一つの移動端末及び前記ブロードキャスト／マルチキャストサービスコントローラにそれぞれ送信すること、を含む方法。
【請求項２】
前記ブロードキャスト／マルチキャストサービスセッションのコンテクストの状態に基づいて、前記ブロードキャスト／マルチキャストサービスセッションを制御するステップをさらに含む請求項１に記載の方法。
【請求項３】
前記ステップ（ｂ）は、ブロードキャスト／マルチキャストサービスコントローラからのブロードキャスト／マルチキャストサービスコンテンツサーバのＩＰアドレスとポート番号を受信して、前記少なくとも一つのコンテンツ提供サーバに送信することをさらに含む請求項２に記載の方法。
【請求項４】
前記ステップ（ｂ）は、前記少なくとも一つの移動端末に前記ブロードキャスト／マルチキャストサービスセッション関連情報、前記メディアフローのセッション記述及び前記コンテンツ提供サーバの識別子を送信することをさらに含む請求項３に記載の方法。
【請求項５】
無線通信システムのブロードキャスト／マルチキャストサービスを利用して行われるＭＰＣＳをサポートするマルチパーティ会議サービス（ＭＰＣＳ）の会議フォーカスであって、
ＭＰＣＳの信号を送信及び受信する信号送受信モジュールと、
前記信号送受信モジュールからの信号を受信するか、又は当該信号送受信モジュールを
経由して信号を送信して、ＭＰＣＳ会議のグループポリシとメディアポリシに基づいて会議の管理と保守を行う会議フォーカスモジュールと、
前記会議フォーカスから情報を受信し、対応するブロードキャスト／マルチキャストサ
ービスセッションのコンテクストに対して初期化、修正又は停止を行うか、もしくは当該
会議フォーカスに当該ブロードキャスト／マルチキャストサービスセッションのコンテク
ストに関連する情報を送信する、ブロードキャスト／マルチキャストサービスセッションのコンテクスト処理モジュールと、を備え、
前記会議フォーカスは、前記ブロードキャスト／マルチキャストサービスセッションの
コンテクスト処理モジュールのブロードキャスト／マルチキャストサービスセッションの
コンテクストの状態に基づいて、対応するブロードキャスト／マルチキャストサービスセッションを制御する会議フォーカス。
【請求項６】
マルチパーティ会議サービス（ＭＰＣＳ）をサポートする無線通信システムのブロードキャスト／マルチキャストサービスコントローラであって、
ＭＰＣＳの信号を送信及び受信する信号送受信モジュールと、
前記信号送受信モジュールからの信号を受信するか、もしくは当該信号送受信モジュー
ルを経由して信号を送信し、ブロードキャスト／マルチキャストサービスセッションを管
理及び保守するブロードキャスト／マルチキャストサービスコントロールモジュールと、
前記ブロードキャスト／マルチキャストサービスコントロールモジュールからブロード
キャスト／マルチキャストサービスセッションのコンテクストを受信し、当該ブロードキャスト／マルチキャストサービスセッションのコンテクストに対して保存、修正又は停止を行うか、もしくは当該ブロードキャスト／マルチキャストサービスコントロールモジュールに当該ブロードキャスト／マルチキャストサービスセッションのコンテクストに関連する情報を送信する、ブロードキャスト／マルチキャストサービスセッションのコンテクスト処理モジュールと、を備え、
前記ブロードキャスト／マルチキャストサービスコントロールモジュールは、前記ブロ
ードキャスト／マルチキャストサービスセッションのコンテクストの状態に基づいてブロ
ードキャスト／マルチキャストサービスセッションを制御するサービスコントローラ。
【請求項７】
無線通信システムのブロードキャスト／マルチキャストサービスを利用して少なくとも
一つの移動端末にコンテンツメディアフローを提供するマルチパーティ会議サービス（ＭＰＣＳ）のコンテンツ提供サーバであって、
ＭＰＣＳの信号を送信及び受信する信号送受信モジュールと、
前記信号送受信モジュールからの信号を受信するか、もしくは当該信号送受信モジュー
ルを経由して信号を送信し、コンテンツメディアフローを提供するコンテンツ提供モジュ
ールと、
前記コンテンツ提供モジュールからブロードキャスト／マルチキャストサービスセッションのコンテクストを受信し、当該ブロードキャスト／マルチキャストサービスセッションのコンテクストに対して保存、修正又は停止を行うか、もしくは当該コンテンツ提供モジュールに当該ブロードキャスト／マルチキャストサービスセッションのコンテクストに関連する情報を送信する、ブロードキャスト／マルチキャストサービスセッションのコンテクスト処理モジュールと、を備え、
前記コンテンツ提供モジュールは、ブロードキャスト／マルチキャストサービスを通し
て前記メディアフローを提供するコンテンツ提供モジュール。
【請求項８】
ブロードキャスト／マルチキャストサービスを通してマルチパーティ会議サービス（ＭＰＣＳ）を受ける無線通信システムの移動端末であって、
ＭＰＣＳの信号を送信及び受信する信号送受信モジュールと、
前記信号送受信モジュールからの信号を受信するか、もしくは当該信号送受信モジュー
ルを経由して信号を送信し、ブロードキャスト／マルチキャストサービスセッションを確立可能な移動端末モジュールと、
前記移動端末モジュールからブロードキャスト／マルチキャストサービスセッションの
コンテクストを受信し、当該ブロードキャスト／マルチキャストサービスセッションのコンテクストに対して保存、修正又は停止を行うか、もしくは前記移動端末モジュールに当
該ブロードキャスト／マルチキャストサービスセッションのコンテクストに関連する情報
を送信する、ブロードキャスト／マルチキャストサービスセッションのコンテクスト処理
モジュールと、を備え、
前記移動端末モジュールは、前記ブロードキャスト／マルチキャストサービスセッションのコンテクストの状態に基づいて対応するブロードキャスト／マルチキャストサービスセッションを操作する移動端末。
【請求項９】
無線通信システムのブロードキャスト／マルチキャストサービスを利用してマルチパー
ティ会議サービス（ＭＰＣＳ）を行う方法であって、少なくとも一つのコンテンツ提供サーバから少なくとも一つの移動端末にコンテンツメディアフローを提供し、
（ａ）マルチパーティ会議サービスの会議フォーカスは前記少なくとも一つのコンテンツ提供サーバからのメディアフロー関連情報を受信し、受信された当該メディアフロー関連情報をブロードキャスト／マルチキャストサービスコントローラに送信し、
（ｂ）前記ブロードキャスト／マルチキャストサービスコントローラは、前記メディア
フロー関連情報に基づいてブロードキャスト／マルチキャストサービスセッションを確立
するためのブロードキャスト／マルチキャストサービスセッション関連情報を生成し、当
該生成されたブロードキャスト／マルチキャストサービスセッションを前記会議フォーカスに送信し、
（ｃ）前記会議フォーカスは、取得した前記メディアフロー関連情報、前記ブロードキャスト／マルチキャストサービスセッション関連情報及びＭＰＣＳ関連情報に基づいて対応するブロードキャスト／マルチキャストサービスセッションのコンテクストを生成し、当該ブロードキャスト／マルチキャストサービスセッションのコンテクストを前記少なくとも一つのコンテンツ提供サーバ、移動端末及び前記ブロードキャスト／マルチキャストサービスコントローラにそれぞれ送信し、
（ｄ）前記少なくとも一つのコンテンツ提供サーバは、受信された前記ブロードキャスト／マルチキャストサービスセッションのコンテクストに基づいて、前記ブロードキャスト／マルチキャストサービスコンテンツ提供サーバにメディアフローを提供し、及び、
（ｅ）前記少なくとも一つの移動端末が前記コンテンツメディアフローを取得するように、前記少なくとも一つの移動端末と前記ブロードキャスト／マルチキャストサービスコ
ントローラは、受信されたブロードキャスト／マルチキャストサービスセッションのコン
テクストに基づいて、ブロードキャスト／マルチキャストサービスセッションを確立することと、を含み、
前記会議フォーカス、前記ブロードキャスト／マルチキャストサービスコントローラ、
前記少なくとも一つの移動端末及び前記少なくとも一つのコンテンツ提供サーバは、前記
ブロードキャスト／マルチキャストサービスセッションのコンテクストに基づいて対応す
るブロードキャスト／マルチキャストサービスセッションを操作する方法。
【請求項１０】
無線通信システムのブロードキャスト／マルチキャストサービスを利用してマルチパー
ティ会議サービス（ＭＰＣＳ）を行うシステムであって、
マルチパーティ会議サービスと会議フォーカスと、ブロードキャスト／マルチキャスト
サービスコントローラと、少なくとも一つの移動端末と、及び当該少なくとも一つの移動端末にコンテンツメディアフローを提供する少なくとも一つのコンテンツ提供サーバとを
備え、
前記会議フォーカスと、前記ブロードキャスト／マルチキャストサービスコントローラ
と、前記少なくとも一つの移動端末と、及び前記少なくとも一つのコンテンツ提供サーバ
とはそれぞれ、
マルチパーティ会議サービスの信号を受信又は送信する信号送受信モジュールと、
ブロードキャスト／マルチキャストサービスセッションのコンテクストに関連する情報
を処理するブロードキャスト／マルチキャストサービスセッションのコンテクスト処理モ
ジュールと、をさらに備え、
前記会議フォーカスは、前記少なくとも一つのコンテンツ提供サーバからのメディアフ
ロー関連情報、前記ブロードキャスト／マルチキャストサービスコントローラからの前記
ブロードキャスト／マルチキャストサービスセッション関連情報及びＭＰＣＳ関連情報に
基づいて、ブロードキャスト／マルチキャストサービスセッションのコンテクスト処理モ
ジュールにおいて対応するブロードキャスト／マルチキャストサービスセッションのコン
テクストを生成し、前記信号送受信モジュールを経由して当該ブロードキャスト／マルチ
キャストサービスセッションのコンテクストを前記少なくとも一つのコンテンツ提供サー
バと前記少なくとも一つの移動端末及び前記ブロードキャスト／マルチキャストサービス
コントローラにそれぞれ送信して、当該ブロードキャスト／マルチキャストサービスセッションのコンテクストに基づいて当該移動端末にコンテンツメディアフローを提供するブ
ロードキャスト／マルチキャストサービスセッションを制御し、
前記ブロードキャスト／マルチキャストサービスコントローラは、前記ブロードキャスト／マルチキャストサービスセッションのコンテクストに基づいて対応するブロードキャスト／マルチキャストサービスセッションを制御するように、前記会議フォーカスからの
メディアフロー関連情報に基づいてブロードキャスト／マルチキャストサービスセッションを確立するための関連情報を生成し、その情報を前記会議フォーカスに送信し、なお、
ブロードキャスト／マルチキャストサービスセッションのコンテクスト処理モジュールに
おいて前記会議フォーカスからの前記ブロードキャスト／マルチキャストサービスセッションのコンテクストを受信し、前記受信したコンテクストを保存し及び保守し、
前記少なくとも一つのコンテンツ提供サーバは、前記ブロードキャスト／マルチキャストサービスセッションのコンテンツサーバを経由して前記少なくとも一つの移動端末にメ
ディアフローを提供するように、前記会議フォーカスにメディアフロー関連情報を提供し、ブロードキャスト／マルチキャストサービスセッションのコンテクスト処理モジュールにおいて前記会議フォーカスからのブロードキャスト／マルチキャストサービスセッションのコンテクストを受信し、前記受信したコンテクストを保存し及び保守し、
前記少なくとも一つの移動端末は、ブロードキャスト／マルチキャストサービスセッションのコンテクスト処理モジュールにおいて前記会議フォーカスからの前記ブロードキャスト／マルチキャストサービスセッションのコンテクストを受信、保存及び保守し、当該ブロードキャスト／マルチキャストサービスセッションのコンテクストに基づいて対応するブロードキャスト／マルチキャストサービスセッションの操作を行い、ブロードキャスト／マルチキャストサービスセッションを通して前記コンテンツメディアフローを取得するシステム。